(57)【要約】【課題】  大音響で映像及び映画を視聴する事に対応した防音・防振対策を施し、内壁の厚みや重量を大幅に増加させる事なく、内外共に快適に視聴出来る、ＡＶコンテナボックスを提供する。【解決手段】コンテナボックスの内部にＡＶ機器を備えたＡＶシアターであって、コンテナボックスの四方の側面に防音壁を備え、コンテナボックスの底面は、切り離して、コンテナボックスと弾性体で接続することにより防音をしたことを特徴とするコンテナボックスを用いたＡＶシアターの防音システム。【選択図】図１
2012093711.tif 000002
【特許請求の範囲】
【請求項１】
底壁と、
前記底壁の周囲を囲む側壁と、
前記側壁の上端部に配置され、当該側壁で囲まれた空間を覆う天壁と、
を備え、
前記底壁の周縁と前記側壁との間には間隙が形成されている、ＡＶシアター。
【請求項２】
前記底壁の周縁と、前記側壁の下端部とを連結する少なくとも一つの弾性部材と、をさらに備えている、請求項１に記載のＡＶシアター。
【請求項３】
当該ＡＶシアターの設置面と、前記底壁の下面との間に配置され、前記底壁を支持する弾性支持体をさらに備えている、請求項１または２に記載のＡＶシアター。
【請求項４】
前記底壁上に配置される弾性シートと、
前記弾性シート上に配置される床材と、をさらに備え、
前記床材の周縁が前記弾性部材と接触している、請求項１から３のいずれかに記載のＡＶシアター。
【請求項５】
前記側壁と平行に前記空間側に配置される防音壁をさらに備え、
前記防音壁は、前記弾性部材上に配置される、請求項１から４のいずれかに記載のＡＶシアター。
【請求項６】
前記防音壁は、所定の隙間を形成して配置される一対の板材と、前記一対の板材間に充填される粒状の防音物質と、を備えている、請求項５に記載のＡＶシアター。
【請求項７】
前記側壁は、水平方向に延びる基材と、前記基材の上面の一部に配置される壁材と、で構成されており、前記弾性部材は、前記基材の上面と、前記底壁とを連結する、請求項１から６のいずれかに記載のＡＶシアター。
【請求項８】
前記側壁及び天壁が、コンテナを利用して形成されている、請求項１から７のいずれかに記載のＡＶシアター。
【発明の詳細な説明】
【技術分野】
【０００１】
本発明は、大音響で映像を視聴出来るＡＶシアターに関する。
【背景技術】
【０００２】
従来、輸送用コンテナ、鉄道コンテナ、住居用コンテナなどのコンテナを利用し、通常音で映像を視聴出来るコンテナを用いたＡＶシアターが提案されている（例えば、特許文献１）。
【先行技術文献】
【特許文献】
【０００３】
【特許文献１】特開２００１−２８８９１１号公報
【発明の概要】
【発明が解決しようとする課題】
【０００４】
ところで、この種のＡＶシアターでは、種々の技法を用いて防音対策及び防振対策を行っているが、効果的な対策は未だ提案されていない。例えば、重低音を発するウーファーは、振動が大きく、これがＡＶシアターにおける防振対策の大きい課題となっていた。また、このような振動は、固体伝播音として振動により音を発生するため、防音上の問題にもなっていた。なお、以上のような問題は、コンテナを用いたＡＶシアターに限らず、一般的な構造のＡＶシアターにおいても起こりうる問題である。
【０００５】
本発明は、効果的な防音対策及び防振対策が可能なＡＶシアターを提供することを目的とする。
【課題を解決するための手段】
【０００６】
本発明に掛かるＡＶシアターは、底壁と、前記底壁の周囲を囲む側壁と、前記側壁の上端部に配置され、当該側壁で囲まれた空間を覆う天壁と、を備え、前記底壁の周縁と前記側壁との間には間隙が形成されている。
【０００７】
この構成によれば、底壁と側壁との間に間隙が形成されているため、底壁から側壁に向かう振動を遮断することができる。特に、ＡＶシアターでは、重低音を発するウーファーなどのスピーカーが床に配置されるため、底壁からの振動が側壁へと伝達し、ＡＶシアター全体が振動するおそれがあり、しかも振動による音の発生も問題となる。これに対して、上記のように構成することで、振動の伝達及び音の伝播を防止することができる。また、特殊な部材を用いることなく、防音対策及び防振対策が行えるため、コストを低減することも可能である。
【０００８】
上記ＡＶシアターにおいては、底壁の周縁と、側壁の下端部とを連結する少なくとも一つの弾性部材をさらに設けることができる。これにより、ＡＶシアターは一体的に形成され、その結果、移設も簡単に行うことができる。なお、弾性部材は、振動を吸収するため、底壁と側壁との間に配置されていても、底壁から側壁へ振動が伝達するのを防止することができる。
【０００９】
また、ＡＶシアターの設置面と、底壁の下面との間に配置され、底壁を支持する弾性支持体をさらに設けることもできる。このような弾性支持体により、底壁に作用する上下方向の振動を吸収することができる。この場合、底壁と側壁との間に上述した弾性部材を設けてもよいし、設けなくてもよい。設けない場合には、底壁と側壁との間の振動の伝達を確実に防止することができる。
【００１０】
上記ＡＶシアターにおいては、底壁上に配置される弾性シートと、弾性シート上に配置される床材と、をさらに設け、床材の周縁を弾性部材と接触させることができる。このようにすると、床材と底壁との間に弾性シートが配置されているため、床材の振動を弾性シートで振動を吸収することができる。また、床材の周縁は、弾性部材に接触しているため、床材から側壁への振動の伝達も防止することができる。
【００１１】
また、上記ＡＶシアターにおいては、側壁と平行に前記空間側に配置される防音壁をさらに設け、この防音壁を、弾性部材上に配置することができる。この構成によれば、防音壁を側壁の内側に配置しているため、防音効果を向上することができる。また、防音壁は、弾性部材上に配置されるため、防音壁が受ける振動を弾性部材で吸収することができ、有利である。さらに、防音壁は、底壁と側壁との間でデッドスペースになる可能性のある弾性部材上に配置されるため、空間を有効活用することができる。
【００１２】
上記防音壁は、一般的に用いられる公知のもののほか、例えば、所定の隙間を形成して配置される一対の板材と、これら一対の板材間に充填される粒状の防音物質と、を備えることができる。これにより、空間内で発生した音は、防音壁内の防音物質の表面で反射し、一部は防音物質間の隙間を通り抜けるが、大半は、隙間に閉じ込められて外部への音の逃げ場を無くすることになる。その結果、音が極めて減少し、防音効果が高まり、外部に音が漏れるのを防止することができる。
【００１３】
また、上記側壁は、水平方向に延びる基材と、この基材の上面の一部に配置される壁材と、で構成することができ、弾性部材を、基材の上面と、底壁とを連結するように構成することができる。これにより、基材上面のデッドスペースとなり得る領域を有効利用することができる。
【００１４】
また、上記ＡＶシアターは、側壁及び天壁を、コンテナを利用して形成することができる。例えば、公知のコンテナから底壁のみを取り外し、天壁及び側壁を利用することができる。このとき、上述したような底壁を新たに作製してもよいし、取り外した底壁を利用して、上述したような底壁を作製してもよい。
【００１５】
上述した側壁は、水平方向に延びる基材と、基材の上面の一部に配置される壁材と、で構成することができ、弾性部材が、基材の上面と、床壁の上面とを連結するように構成することができる。これにより、弾性部材の一部を基材上に配置することができ、側壁の内側の狭い空間を有効に活用することができる。
【００１６】
また、本発明は、例えば、コンテナの内部にＡＶ機器３を備えたＡＶシアターであって、コンテナは四方のコンテナ側面１２と、コンテナ天面１４とコンテナ底面13からなり、コンテナ側面１２の内側に防音壁4を備え、コンテナ底面１３は、四方のコンテナ側面１２とコンテナ天面１４からなるコンテナ本体１１から切り離し、コンテナ側面とは、接続用弾性体５１で音が漏れないように密封して接続することにより防音、防振対策をしたことを特徴とするコンテナを用いたＡＶシアターである。
【００１７】
前記防音壁4は、例えば、コンテナ側面12の内側に、複数のボード41を備え、隣接するボード４１間に樹脂で構成された直径が1ｍｍ〜5ｍｍの球体の防音物質42を入れ、コンテナの内部から発する音が球体に当たる事により音を離散し減衰させることにより防音する構成としたことを特徴とするコンテナを用いたＡＶシアターである。
【００１８】
前記コンテナ底面13は、例えば、四方のコンテナ側面１２とコンテナ天面14からなるコンテナ本体１１から切り離し、コンテナ側面とは、接続用弾性体51で音が漏れないように密封して接続することにより防音、コンテナ底面13の上に弾性体シート52を備え、さらにその上にＡＶ機器3を設置する分離床5を載せることにより、防音と防振をしたことを特徴とするコンテナを用いたＡＶシアターである。
【発明の効果】
【００１９】
本発明に係るＡＶシアターによれば、低コストで効果的な防音対策及び防振対策が可能となる。
【００２０】
コンテナの側面の防音壁は、部材間に空気層を作り防音物質（球体（石油化合物プラスチック類1ｍｍ〜5ｍｍ）と防音シートとボードで3重壁を構成し、この部材間の振動伝達を抑えることにより更に防音性能が向上する。
【００２１】
音は空気を伝播（空気伝播音）してくるものと、壁、床、天井などの物体内を伝播（固体伝播音）する。固体伝播音はその物体が振動することで音が伝播するので壁などを厚くするだけでなく、コンテナ側面を、コンテナの側面から切り離して浮床構造をすることでより一層防音、防振ができる。
【図面の簡単な説明】
【００２２】
【図１】本発明に係るＡＶシアターの一実施形態を示す概略構成図である。
【図２】図１に示すＡＶシアターの床部分の断面図である。
【図３】図２のＡ−Ａ線断面図である。
【図４】図３の他の例を示す断面図である。
【図５】図１に示すＡＶシアターの防音壁の構成を示す断面図（ａ）と、防音方法の原理を示す図（ｂ）である。
【図６】図１のＡＶシアターの製造方法の一例を示す図である。
【図７】図１のＡＶシアターの他の例を示す平面図である。
【図８】図１のＡＶシアターの他の例を示す一部断面図である。
【図９】図１のＡＶシアターの他の例を示す一部断面図である。
【図１０】コンテナ側面の他の例を示す平面図である。
【発明を実施するための形態】
【００２３】
以下、本発明に係るＡＶシアターをコンテナを用いて作製した場合の一実施形態について、図面を参照しつつ説明する。図１は本実施形態に係るＡＶシアターの概略構成を示す斜視図、図２は図１に示すＡＶシアターの床部分の断面図、図３は図２のＡ−Ａ線断面図である。
【００２４】
このＡＶシアターは、一つ又は複数のコンテナを組み合わせて構成することができる。図１に示す例は、一つのコンテナを用いたＡＶシアターを示している。このコンテナ１は、直方体状に形成され、矩形状に形成されたコンテナ底面（底壁）１３、このコンテナ底面１３の周囲を囲む４つの矩形状のコンテナ側面（側壁）１２、及びコンテナ側面１２によって囲まれる内部空間を上方から覆う矩形状のコンテナ天面（天壁）１４を備えている。いずれもコンテナを構成する金属などで形成されているが、底面については、木材で形成されることもある。コンテナ側面１３の一つには、内部空間に通じるドア２が設けられており、このドア２の内側に、入口空間２２を介して、さらに内部ドア２９が設けられている。各ドア２，２９は、防音のために種々の構成にすることができるが、例えば、ドア表面に表裏にボードを貼り合わせ２重構造にすることができる。また、ドア２，２９のガラス窓は、例えば、ペアーガラス２１を使うことで空気層を作り、防音することができる。上記のように、２重のドアを用いれば、入口空間２２で空気層を作ることができ、大音響にも耐えうる防音システムになるが、内部ドア２９を設けないようにすることもできる。
【００２５】
コンテナ側面１２、コンテナ天面１４は、直方体であるコンテナ自体を利用しているが、コンテナ底面１３は、もとのコンテナから切り離したものを用いたり、あるいは新たに作製したものを用いてもよく、いずれの場合もコンテナ側面１２から分離した状態としている。コンテナ底面１３とコンテナ側面１２との隙間は、例えば、０．５〜２ｍｍ程度にすることができる。この隙間が小さすぎると、コンテナ底面１３が振動したときにコンテナ側面１２と接触するおそれがあり、大きすぎると、外部から異物が侵入したり、機密性が保たれないおそれがある。また、コンテナ側面１２の内側、つまり内部空間側には、コンテナ底面１３の全周に亘って、防音壁４がコンテナ側面１３と対応するように平行に配置されている。但し、ドアの部分を除いたり、コンテナ側面１２の一部に設けることもできる。より詳細に説明すると、図２に示すように、コンテナ側面１２は、断面視でＬ字型に形成されており、水平方向に延び地面(設置面)に配置される基材１２２と、この基材１２２の上面から上方に延びる壁材１２１とで構成されている。壁材１２１は、基材１２２上面においてコンテナの外部側に配置されており、基材１２２がコンテナの内部空間側に突出した状態となっている。上述したコンテナ底面１３の周縁は、基材１２２と所定間隔をおいて配置されており、コンテナ底面１３の上面と、基材１２２の上面とが、弾性部材５１によって接続されている。弾性部材５１は、ボルト５３によってコンテナ底面１３、及び基材１２２に固定されている。この弾性部材５１は、例えば、ゴム、シリコン、ウレタンフォームなど振動を吸収可能な材料で、例えば直方体状に形成されている。図３に示すように、弾性部材５１は、コンテナ底面１３と基材１３１との間の一部に配置してもよいし、コンテナ底面１３の全周に亘って配置することもできる。一部に配置する場合には、例えば、１００〜５００ｍｍ程度の間隔をあけて複数配置することができる。
【００２６】
また、コンテナ底面１３の上面には、弾性シート５２を介して、木材、プラスチックなどで形成される床板５が配置されている。弾性シート５２は、振動を吸収できるものであればよく、例えば、ゴム、シリコン、ウレタンフォームなど振動を吸収可能な材料で形成することができる。また、床材５の周縁は、上述した弾性部材５１の内壁面と接触しているが、隙間をあけて配置することもできる。また、コンテナ底面１３は、図４に示すようにすることもできる。すなわち、コンテナ側面１２の基材１２２上に弾性部材５１を配置し、その弾性部材５１の上面に板状のコンテナ底面１３を配置する。コンテナ底面１３と地面との間は、空洞にしてもよいし、土などを充填してもよい。
【００２７】
次に、図５を参照しつつ、防音壁４について説明する。図５（ａ）に示すように、この防音壁４は、上述した弾性部材５１上に固定されており、所定間隔をおいて配置された２枚のボード（板材）４１１，４１２と、この２枚のボードの間の空間に充填された粒状の防音物質４２とで、構成されている。各ボード４１１，４１２は、例えば、石膏、木材、圧縮材、プラスチック、加工合板などで形成することができ、厚みが１〜１０ｍｍ程度とすることができる。また、防音物質４２は、ナイロン、ウレタン、シリコンなどの樹脂、ゴム、布ベークライト、紙ベークライトなどで形成され、直径が１ｍｍ〜５ｍｍ程度の球体で構成されている。但し、防音物質４２の形状は球体以外でもよく、例えば、楕円状、多面体状など種々の形状をとりうる。
【００２８】
上記のように構成されたＡＶシアターの内部空間には、ＡＶ機器３、プロジェクター３１、スクリーン３２、スピーカー３３、鑑賞用振動椅子３４、テーブル３５などが装備される。スクリーン３２は、例えば、防音壁４の一つに取り付けられる。スピーカー３２は、一対のフロントスピーカー３３１、リアスピーカー３３２、センタースピーカー３３３、及びウーファー３３４で構成されるが、この中の少なくともフロントスピーカー３３１を備えていればよい。一対のフロントスピーカー３３１は、スクリーン３２の両側の上方に配置され、リアスピーカー３３２は、スクリーン３２とは対向する防音壁４に取り付けられる。また、センタースピーカー３３３は、スクリーン付近の床材５上に配置され、ウーファー３３４は、リアスピーカー３３２付近の床材５上に配置される。上記のような構成により、１人もしくは数名の人間が映画及び映像を臨場感あふれる大音響で視聴することができる。
【００２９】
次に、上記のように構成されるＡＶシアターの製造方法の一例について、図６を参照しつつ説明する。ここでは、図４に示す形態のコンテナ底面１３の作製について説明する。まず、一般的なコンテナを準備し、ＡＶシアターを配置すべき設置面に設置する。次に、予め取り付けられているコンテナの底面を取り除く。このとき、先にコンテナ底面を取り除き、その後、コンテナを設置面に設置してもよい。続いて、図６（ａ）に示すように、コンテナ側面１２の基材１２２上に所定間隔をおいて複数の弾性部材５１を配置する。これに続いて、図６（ｂ）に示すように、同図の左右で対向する弾性部材５１同士を棒状の横断部材１３５で連結する。その後、横断部材１３５同士を連結するように、同図の上下方向に延びる棒状の縦部材１３６を敷き詰め、コンテナ底面１３とする。コンテナ底面１３が設けられた後には、弾性部材５１上に防音壁４を配置する。防音壁４は、種々の方法で取り付けることができるが、例えば、コンテナ側面１２の内壁面にボルト、釘などで固定することができる。このときに、コンテナ側面１２と防音壁４との間に、木材などの連結材を介在させてもよい。なお、縦部材１３６の代わりに、横断部材１３５上に、矩形状の板材や畳などを取り付けてもよい。
【００３０】
また、上記作業と並行して、ドア２、内部ドア２９の設置を行う。例えば、コンテナの一の側面に、ドアを取り付けるための開口を形成した後、上述したような防音用のドアを取り付ける。なお、コンテナに当初から設けられている扉は、閉じておき、この面にドア２を形成してもよいし、あるいは防音壁４を介してスクリーン３２を配置してもよい。
【００３１】
以上のように、本実施形態によれば、コンテナ底面１３とコンテナ側面１２との間に間隙が形成されているため、コンテナ底面１３からコンテナ側面１２に伝達する振動を遮断することができる。このとき、コンテナ底面１３とコンテナ側面１２との連結は、弾性部材５１によって行われているため、振動が伝達するのを防止することができる。特に、ＡＶシアターでは、重低音を発するウーファーなどのスピーカーが床に配置されるため、底面１３からの振動が側面１２へと伝達し、ＡＶシアター全体が振動するおそれがあり、しかも振動による音の発生も問題となる。これに対して、上記のように構成することで、振動の伝達及び音の伝播を防止することができる。また、特殊な部材を用いることなく、防音対策及び防振対策が行えるため、コストを低減することも可能である。
【００３２】
また、上述した防音壁４により、次の効果を得ることができる。図５（ｂ）に示すように、内部空間で発生した音は、音の方向４４に示すように防音物質４２の表面で反射し、一部は物質４２間の隙間を通り抜けるが、球体間に形成された隙間を利用し外部への音の逃げ場を無くする。これにより、音が極めて減少し、防音効果を高め、外部に音を漏らさない。そして、このような防音壁４を構成することで、防音壁４の厚さを薄くでき、コンテナの内壁を最小限に抑える事ができ、その結果、内部空間を大きくとれる。上記では、コンテナ側面１２に、ボードを２枚にした防音壁４を配置しているが、ボードを３枚以上として、各ボードの間に防音物質４２を充填すると、さらに防音効果がある。
【００３３】
単一部材の遮音性能は、入射音の周波数と材料の面密度の対数に比例する（質量則）。つまり、材料の重量が増えると遮音性能が向上するが、質量則では重量を２倍（同一材なら厚みを２倍）にしても遮音量は増加しない。これに対して、この質量則以上の遮音量を得るには、部材間に空気層を作り防音物質４２と防音シート４３とボードで３重壁を構成することにより可能となる。また、この部材間の振動伝達を抑えることにより更に防音性能が向上する。また、図５（ａ）に示すように、ボード間に、防音シート４３を敷き、ボードとシート間に上記と同様の防音物質４２を充填してもよい。これにより、振動伝達を抑えることにより更に防音性能が向上する。なお、防音シート４３は、例えば、ゴム、シリコン、断熱材（グラスウール、ロックウール等）等の公知の防音シートで構成することができる。但し、防音シート４３は、必ずしも必要ではなく、所望の防音効果に応じて適宜取り付ければよい。
【００３４】
以上、本発明の一実施形態について説明したが、本発明は上記実施形態に限定されるものではなく、その趣旨を逸脱しない限りにおいて、種々の変更が可能である。例えば、上記実施形態においては、ＡＶシアターは、直方体状に形成されているが、この形状は特には限定されず、底面、側面、及び天面で構成されていれば、特には限定されず、円柱状、楕円柱状、多角形状など種々の形状にすることができる。
【００３５】
また、コンテナを利用せず、上記のような各面を独自に作製して組み立てることもできる。また、底面１３は、上記以外にも種々の形態にすることができる。例えば、図７に示すように、矩形状のフレーム１３２を旬微志、その左右の棒状部材を連結するように、複数の棒状の横断部材１３３を配置し、隣接する横断部材１３３の間に板材１３４を配置することもできる。このとき、板材１３４の代わりに、畳や、その廃材を用いることもできる。こうすることで、廃材の有効利用でコストを低減できるだけでなく、振動の吸収にも寄与する。また、底面１３と側面１２との連結は特には限定されず、図２及び図４以外の態様であっても、底面１３と側面１２との間のいずれかの部分同士が弾性部材５１で連結されていればよい。例えば、図８（ａ）に示すように、鍵型の弾性部材５１を利用したり、図８（ｂ）に示すように、コンテナ側面１２の基材１２２の中間部に弾性部材５１を取り付けることもできる。あるいは、基材１２２のない側面を用いることもでき、この場合には、壁材１２１の下端部付近に弾性部材５１を直接取り付けることもできる。
【００３６】
また、本発明に係るＡＶシアターの底面は、図９に示すように構成することもできる。同図に示すように、この例では、底面１３は、側面１２と連結されておらず、底面１３と地面（設置面）との間に弾性支持体７を配置し、底面１３を支持している。弾性支持体７は、公知の床束７１と、この床束７１の上面と底面１３との間に配置される弾性体７２とで構成されている。弾性体７２は、上述した弾性部材５１と同様の材料で形成され、これにより、底面１３を弾性的に支持して振動を吸収するようにしている。なお、この例では、底面１３と側面１２との間に弾性部材を配置していないが、上記実施形態のように、底面１３と側面１２とを弾性部材５１で連結することもできる。弾性部材５１を配置しない場合には、側面１２の基材１２２上に防音壁４を配置することができる。
【００３７】
また、コンテナ側面１２の形状は、上述したようなＬ字型のほか、基材１２２正面の中央付近に壁材１２１が配置される形態もある。壁材１２１は、平面視で複数の凹凸が形成されているものとすることもできる。例えば、図１０に示すような形態にすることができる。この例では、壁材１２１の凹部に板材８０を配置し、この板材８０を介して壁材１２１と防音壁４とをボルト８１によって固定している。防音壁４は上述したように、弾性部材５１の上面に配置されている。その他、防音壁４を弾性部材に固定したり、あるいは、天面１４に固定することもできる。なお、コンテナ側面１２の形状は、これ以外の種々の形状が可能であり、コンテナを用いず、別途、この形態を作製してもよい。
【産業上の利用可能性】
【００３８】
本発明に係るＡＶシアターは様々な用途に利用する事ができ、例えば、シアタールーム、倉庫、ガレージ、スタジオ、住居、事務所、厨房、トイレ、シャワールーム、キッズルーム、ゲームセンターとしてのみならず店舗としても使え、又中古輸送用コンテナを利用する事で資源の再利用やコストダウンなども図れ、更にコンテナ天面にソーラーパネルを設置する事でコンテナ内の照明に対する電力供給を補い，一般電力の消費を抑える事で省エネ化する事が出来、電力供給も安価に行う事が出来る。
【００３９】
本発明のＡＶシアターは様々な用途に使え内装も、オリジナリティに加工する事により例えば、内装に凹凸を付け臨場感を豊かに加工及び施工し生活場面を構築されるにあたり、掘り炬燵、ジャングル、平原、ホラー、海、宇宙、砂漠等の風景を立体に表現する事も出来るＡＶコンテナボックスである。
【符号の説明】
【００４０】
1  コンテナを用いたＡＶシアター
12  コンテナ側面（側壁）
13  コンテナ底面（底壁）
14  コンテナ天面（天壁）
4  防音壁
411  ボード
412  ボード
42  防音物質
5  分離床
51 弾性部材
52  弾性体シート
【図１】
2012093711.tif 000003
【図２】
2012093711.tif 000004
【図３】
2012093711.tif 000005
【図４】
2012093711.tif 000006
【図５】
2012093711.tif 000007
【図６】
2012093711.tif 000008
【図７】
2012093711.tif 000009
【図８】
2012093711.tif 000010
【図９】
2012093711.tif 000011
【図１０】
2012093711.tif 000012
【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
底壁と、
前記底壁の周囲を囲む側壁と、
前記側壁の上端部に配置され、当該側壁で囲まれた空間を覆う天壁と、
を備え、
前記底壁の周縁と前記側壁との間には間隙が形成されており、
前記底壁の周縁と、前記側壁の下端部とを連結する少なくとも一つの弾性部材をさらに備え、
前記側壁は、水平方向に延びる基材と、前記基材の上面の一部に配置される壁材と、で構成されており、
前記弾性部材は、前記基材の上面に配置され、前記底壁は前記弾性部材の上面に配置されている、ＡＶシアター。
【請求項２】
当該ＡＶシアターの設置面と、前記底壁の下面との間に配置され、前記底壁を支持する弾性支持体をさらに備えている、請求項１に記載のＡＶシアター。
【請求項３】
前記底壁上に配置される弾性シートと、
前記弾性シート上に配置される床材と、をさらに備え、
前記床材の周縁が前記弾性部材と接触している、請求項１または２に記載のＡＶシアター。
【請求項４】
前記側壁と平行に前記空間側に配置される防音壁をさらに備え、
前記防音壁は、前記弾性部材上に配置される、請求項１から３のいずれかに記載のＡＶシアター。
【請求項５】
前記防音壁は、所定の隙間を形成して配置される一対の板材と、前記一対の板材間に充填される粒状の防音物質と、を備えている、請求項４に記載のＡＶシアター。
【請求項６】
前記側壁及び天壁が、コンテナを利用して形成されている、請求項１から５のいずれかに記載のＡＶシアター。
【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
底壁と、
前記底壁の周囲を囲む側壁と、
前記側壁の上端部に配置され、当該側壁で囲まれた空間を覆う天壁と、
を備え、
前記底壁の周縁と前記側壁との間には間隙が形成されており、
前記底壁の周縁と、前記側壁の下端部とを連結する複数の弾性部材をさらに備え、
前記側壁は、水平方向に延びる基材と、前記基材の上面の一部に配置される壁材と、で構成されており、
前記複数の弾性部材は、所定間隔をおいて前記基材の上面に配置され、
前記底壁は前記複数の弾性部材の上面に配置されている、ＡＶシアター。
【請求項２】
当該ＡＶシアターの設置面と、前記底壁の下面との間に配置され、前記底壁を支持する弾性支持体をさらに備えている、請求項１に記載のＡＶシアター。
【請求項３】
前記底壁上に配置される弾性シートと、
前記弾性シート上に配置される床材と、をさらに備え、
前記床材の周縁が前記弾性部材と接触している、請求項１または２に記載のＡＶシアター。
【請求項４】
前記側壁と平行に前記空間側に配置される防音壁をさらに備え、
前記防音壁は、前記弾性部材上に配置される、請求項１から３のいずれかに記載のＡＶシアター。
【請求項５】
前記防音壁は、所定の隙間を形成して配置される一対の板材と、前記一対の板材間に充填される粒状の防音物質と、を備えている、請求項４に記載のＡＶシアター。
【請求項６】
前記側壁及び天壁が、コンテナを利用して形成されている、請求項１から５のいずれかに記載のＡＶシアター。